(57)【要約】【課題】自己復帰できる可能性を高め、動作再開の時間を短縮し、利用者の利便性を向上させることができる空気調和機を得ること。【解決手段】空気調和機は室外機１と室内機２とを備える。室外機１には平滑コンデンサ１４の電圧で動作する室外制御部１６、信号線２６が接続される電源供給切替リレー２０、室内機２内の室外起動リレー８および電源供給切替リレー２０を介して電源信号共通線２５と信号線２６との間に単相交流電源が供給されたときに動作する突入電流防止リレー駆動部２１、電源供給リレー１２と並列に接続され突入電流防止リレー駆動部２１により制御される第１の突入電流防止リレー１０および第１の突入電流防止リレー１０と並列に接続され室外制御部１６により制御される第２の突入電流防止リレー１３が設けられる。室外制御部１６は、外部からの電源供給が遮断されたときに第２の突入電流防止リレー１３を閉じる。【選択図】図１
2016090183.tif 000002
【特許請求の範囲】
【請求項１】
室外機と室内機とを備え、前記室外機と室内機とが、電源線、電源信号共通線および信号線の３芯により接続され、前記室外機には電源供給リレーを介して３相交流電源が接続され、前記３相交流電源との接続線のうちの２線から電源線および電源信号共通線を介して前記室内機に単相交流電源を給電する構成の空気調和機であって、
前記室内機は、
前記電源線と前記電源信号共通線との接続を開閉する室外起動リレーと、
前記室外起動リレーを動作させ、前記信号線と前記電源信号共通線との間に単相交流電源を供給させる室内制御部と、
を備え、
前記室外機は、
前記電源供給リレーに接続された室外整流部と、
前記室外整流部の出力を平滑する平滑コンデンサと、
前記平滑コンデンサの電圧で動作する室外制御部と、
前記信号線が接続される電源供給切替リレーと、
前記室外起動リレーおよび前記電源供給切替リレーを介して前記電源信号共通線と前記信号線との間に単相交流電源が供給されたときに動作する突入電流防止リレー駆動部と、
前記電源供給リレーと並列に接続され、前記突入電流防止リレー駆動部により制御される第１の突入電流防止リレーと、
前記第１の突入電流防止リレーと並列に接続され、前記室外制御部により制御される第２の突入電流防止リレーと、
を備え、
外部からの電源供給が遮断されたときに前記第２の突入電流防止リレーを閉じる
ことを特徴とする空気調和機。
【請求項２】
前記室外機には、第１の電圧閾値が設定されており、
前記室外制御部は、外部からの電源供給が遮断され、前記平滑コンデンサの電圧が前記第１の電圧閾値を下回ったときに前記電源供給リレーを開放し、その後、前記第２の突入電流防止リレーを閉じることを特徴とする請求項１に記載の空気調和機。
【請求項３】
前記室外機には、第１の電圧閾値と当該第１の電圧閾値よりも値の大きい第２の電圧閾値とが設定されており、
前記室外制御部は、外部からの電源供給が遮断され、前記平滑コンデンサの電圧が前記第２の電圧閾値を下回ったときに、前記第２の突入電流防止リレーを閉じ、さらに低下して前記第１の電圧閾値を下回ったときに前記電源供給リレーを開放することを特徴とする請求項１に記載の空気調和機。
【請求項４】
外部からの電源供給が復帰したときに、前記平滑コンデンサの電圧が復帰して安定した後に、前記電源供給リレーを閉じると共に、前記第２の突入電流防止リレーを開放することを特徴とする請求項１から３の何れか１項に記載の空気調和機。
【請求項５】
前記室外機には、第１の電圧閾値が設定されており、
前記室外制御部は、外部からの電源供給が遮断され、前記平滑コンデンサの電圧が前記第１の電圧閾値を下回ったとき、前記第２の突入電流防止リレーを閉路し続け、前記電源供給リレーを開放することを特徴とする請求項１に記載の空気調和機。
【請求項６】
前記室外制御部は、外部からの電源供給が遮断され、前記３相交流電源の電源周波数が検出できなくなったとき、前記電源供給リレーを開放すると共に、前記第２の突入電流防止リレーを閉じることを特徴とする請求項１に記載の空気調和機。
【請求項７】
前記室外制御部は、外部からの電源供給が遮断され、前記３相交流電源の電源周波数が検出できなくなったとき、前記第２の突入電流防止リレーを閉路し続け、前記電源供給リレーを開放することを特徴とする請求項１に記載の空気調和機。
【請求項８】
前記室外制御部は、前記平滑コンデンサの電圧が安定であるか否かに関わらず、前記第２の突入電流防止リレーを閉路し続けることを特徴とする請求項１に記載の空気調和機。
【発明の詳細な説明】
【技術分野】
【０００１】
本発明は、運転待機状態時における室外機の消費電力を低減する空気調和機に関する。
【背景技術】
【０００２】
従来の空気調和機は、運転待機状態時における室外機の消費電力を低減するために、例えば、特許文献１に示される構成が提案されている。
【０００３】
この特許文献１に示される空気調和機は、室内機と室外機が電源線、共通線、信号線の３芯で接続され、室外機または室内機の何れかに供給された商用電源を、電源線と共通線を介して給電する空気調和機であって、室内機は、電源線と信号線との接続を開閉する室外起動リレーと、室外起動リレーを動作させ、信号線と共通線との間に商用電源を供給させる室内制御部とを備え、室外機は、商用電源と室外整流回路との接続を開閉する電源供給リレーと、信号線と共通線との間に商用電源が供給されたときに、電源供給リレーを閉じることを特徴とした空気調和機である。
【先行技術文献】
【特許文献】
【０００４】
【特許文献１】特開２０１０−２４３０５１号公報
【発明の概要】
【発明が解決しようとする課題】
【０００５】
外部からの電源供給で動作する空気調和機では、通電中に電源供給が遮断されると、母線電圧が低下するのは必然である。通電中に外部からの電源供給が遮断されたときに電源供給リレーを閉じたままの構成では、電源供給が再開されたときの突入電流により電源供給リレーおよび整流回路が故障するおそれがある。そのため、従来の空気調和機では、突入電流に対して耐量のある電源供給リレーおよび整流回路素子を選定する必要があった。
【０００６】
一方、電源供給リレーおよび整流回路素子の故障を防ぐため、外部からの電源供給が遮断されたときに電源供給リレーを開放しておくことも考えられる。しかしながら、このような制御方式では、電源供給が再開されても自己復帰はできなかった。この場合、室外機の動作を再開させるには、室外機の電源が切れた後に、室内機における信号線と共通線との間に商用電源を供給させることで、室外機の電源を再投入する必要があった。そのため、短時間の瞬時停電であっても、室外機を再起動させる必要があり、停止時間も長くなり、利用者の利便性を損なうという問題があった。
【０００７】
本発明は、上記に鑑みてなされたものであって、自己復帰できる可能性を高め、動作再開の時間を短縮し、利用者の利便性を向上させた空気調和機を得ることを目的とする。
【課題を解決するための手段】
【０００８】
上述した課題を解決し、目的を達成するために、本発明に係る空気調和機は、室外機と室内機とを備え、前記室外機と室内機とが、電源線、電源信号共通線および信号線の３芯により接続され、前記室外機には電源供給リレーを介して３相交流電源が接続され、前記３相交流電源との接続線のうちの２線から電源線および電源信号共通線を介して前記室内機に単相交流電源を給電する構成の空気調和機であって、前記室内機は、前記電源線と前記電源信号共通線との接続を開閉する室外起動リレーと、前記室外起動リレーを動作させ、前記信号線と前記電源信号共通線との間に単相交流電源を供給させる室内制御部と、を備え、前記室外機は、前記電源供給リレーに接続された室外整流部と、前記室外整流部の出力を平滑する平滑コンデンサと、前記平滑コンデンサの電圧で動作する室外制御部と、前記信号線が接続される電源供給切替リレーと、前記室外起動リレーおよび前記電源供給切替リレーを介して前記電源信号共通線と前記信号線との間に単相交流電源が供給されたときに動作する突入電流防止リレー駆動部と、前記電源供給リレーと並列に接続され、前記突入電流防止リレー駆動部により制御される第１の突入電流防止リレーと、前記第１の突入電流防止リレーと並列に接続され、前記室外制御部により制御される第２の突入電流防止リレーと、を備え、外部からの電源供給が遮断されたときに前記第２の突入電流防止リレーを閉じることを特徴とする。
【発明の効果】
【０００９】
本発明によれば、自己復帰できる可能性を高め、動作再開の時間を短縮し、利用者の利便性を向上させることができるという効果を奏する。
【図面の簡単な説明】
【００１０】
【図１】実施の形態１における空気調和機の電装系統ブロック図
【図２】実施の形態１の空気調和機における瞬時停電時の動作を説明するための説明図
【図３】実施の形態２の空気調和機における瞬時停電時の動作を説明するための説明図
【図４】実施の形態３に係る空気調和機の室外機における室外制御部の一構成例を示す図
【発明を実施するための形態】
【００１１】
以下に、本発明の実施の形態に係る空気調和機を図面に基づいて詳細に説明する。なお、以下の実施の形態により本発明が限定されるものではない。
【００１２】
実施の形態１．
図１は、実施の形態１における空気調和機の電装系統ブロック図である。図１に示すように、実施の形態１における空気調和機は、室外機１および室内機２を備える。なお、図１では、特に、室外機１を起動する前の接続状態を示している。なお、以下の説明では、「物理的な接続」と「電気的な接続」とを区別することなく、単に「接続」と称して説明する。
【００１３】
＜空気調和機の概括的な構成＞
まず、空気調和機の概括的な構成を図１を参照して説明する。空気調和機は、室外機１および室内機２を備える。室外機１および室内機２は、電源線２４、電源信号共通線２５および信号線２６の３芯により接続され、室外機１には３相交流電源３が接続され、その内の２線から電源線２４および電源信号共通線２５を介して室内機２に単相交流電源を給電する構成である。室内機２は、電源線２４と電源信号共通線２５との接続を開閉する室外起動リレー８と、室外起動リレー８を動作させ、信号線２６と電源信号共通線２５との間に単相交流電源を供給させる室内制御部４と、を備える。室外機１は、３相交流電源３に接続された室外機１との接続を開閉する電源供給リレー１２と、電源供給リレー１２に接続された室外整流部９と、室外整流部９の出力を平滑する平滑コンデンサ１４と、電源信号共通線２５および信号線２６を介して室内機２と通信する室外通信回路部１９と、信号線２６が接続される電源供給切替リレー２０と、室外起動リレー８を介して信号線２６と電源信号共通線２５との間に単相交流電源が供給されたときに動作する突入電流防止リレー駆動部２１と、室外起動リレー８および電源供給切替リレー２０を介して電源信号共通線２５と信号線２６との間に単相交流電源が供給されたときに動作する突入電流防止リレー駆動部２１と、電源供給リレー１２と並列に接続され、突入電流防止リレー駆動部２１により制御される第１の突入電流防止リレー１０と、第１の突入電流防止リレー１０と並列に接続され、室外制御部１６により制御される第２の突入電流防止リレー１３と、を備える。
【００１４】
＜空気調和機の詳細構成＞
つぎに、空気調和機の更に詳細な構成について説明する。室外機１は、室外端子台２３を備えている。室外端子台２３は、Ｒ端子２７、Ｓ端子２８、Ｔ端子２９、室外Ｓ１端子３０、室外Ｓ２端子３１および室外Ｓ３端子３２を有している。Ｒ端子２７、Ｓ端子２８、Ｔ端子２９は、３相交流電源３に接続されており、３相交流電源３からの電力が室外機１に供給されている。室外機１の内部では、室外Ｓ１端子３０とＲ端子２７とが接続されると共に、室外Ｓ２端子３１とＳ端子２８とが接続され、単相交流による電力が供給されている。なお、室外Ｓ１端子３０および室外Ｓ２端子３１に供給される電力は、Ｒ端子２７およびＳ端子２８間の単相電力には限られず、３相交流電源３における何れか２相間の単相電力を使用することができる。
【００１５】
室内機２は、室内端子台２２を備えている。室内端子台２２は、室内Ｓ１端子３３、室内Ｓ２端子３４および室内Ｓ３端子３５を有している。室内Ｓ１端子３３は、電源線２４で室外Ｓ１端子３０と接続され、室内Ｓ２端子３４は電源信号共通線２５で室外Ｓ２端子３１と接続され、室内Ｓ３端子３５は信号線２６で室外Ｓ３端子３２と接続されている。
【００１６】
室内機２は、室内制御部４、室内整流部５、室内通信回路部６、室内動作切替部７、室外起動リレー８および受信部３６を備えている。室外起動リレー８は、ａ端子、ｂ端子およびｃ端子を有している。ａ端子は室内Ｓ１端子３３に接続され、ｂ端子は室内通信回路部６に接続され、ｃ端子は室内Ｓ３端子３５に接続されている。室外起動リレー８の一方の接点であるｃ端子は常に室内Ｓ３端子３５に接続され、他方の接点はａ端子およびｂ端子のうちの何れかに接続される。室外起動リレー８により、室内Ｓ３端子３５を室内Ｓ１端子３３に接続するか、室内Ｓ３端子３５を室内通信回路部６に接続するかを切り替えることができる。
【００１７】
室内制御部４は、室外起動リレー８を動作させる。ここで、室外起動リレー８を動作させないとき、即ち室外機１に通電しないときには、室外起動リレー８を介して室内Ｓ３端子３５と室内通信回路部６とが接続され、電源信号共通線２５と信号線２６とが室外機１に接続され、室外機１と室内機２との間の通信ラインが確立され、各種運転信号が送受信される。
【００１８】
一方、室外起動リレー８を動作させたとき、即ち室外機１に通電するときには、室内Ｓ３端子３５と室内Ｓ１端子３３とが接続され、電源信号共通線２５と信号線２６との間に単相交流による電力が供給される。
【００１９】
室内Ｓ１端子３３は室内整流部５に接続され、室内Ｓ２端子３４は室内整流部５と室内通信回路部６に接続される。電源線２４と電源信号共通線２５との間に印加された単相交流電圧は、室内整流部５で直流電圧に変換され、室内制御部４に電力が供給される。
【００２０】
室内制御部４と接続された室内動作切替部７は、運転待機時の待機電力を低減するか否かを判断する。図示の例は、待機電力を低減するか否かをジャンパー線で設定する例である。室内動作切替部７において、ｃ１端子とｃ２端子との間にジャンパー線が接続されていれば運転待機時の待機電力を低減し、ｃ２端子とｃ３端子との間にジャンパー線が接続されていれば、運転待機時の待機電力を低減しない。なお、待機電力を低減するか否かの切替方法は、ジャンパー線に限るものでなく、スイッチによる切替でもよい。
【００２１】
受信部３６は、リモコン３７と室内制御部４に接続される。受信部３６は、リモコン３７からの運転指令を受信し、受信した指令を室内制御部４に伝達する。
【００２２】
室外機１は、室外整流部９、第１の突入電流防止リレー１０、突入電流防止抵抗１１、電源供給リレー１２、第２の突入電流防止リレー１３、平滑コンデンサ１４、インバータ回路部１５、室外制御部１６および室外動作切替部１７を備えている。電源供給リレー１２は、図１では２接点のリレーであるが、１接点のリレーが２つある構成でもよい。
【００２３】
Ｒ端子２７には、第１の突入電流防止リレー１０および第２の突入電流防止リレー１３の各一端ならびに電源供給リレー１２における一端側の端子（ａ端子）が接続される。第１の突入電流防止リレー１０および第２の突入電流防止リレー１３の各他端は突入電流防止抵抗１１の一端に接続される。突入電流防止抵抗１１の他端は、電源供給リレー１２の他端側の端子（ｂ端子）および室外整流部９に接続される。さらに、第１の突入電流防止リレー１０および第２の突入電流防止リレー１３の両端は、室外動作切替部１７に接続される。
【００２４】
Ｓ端子２８には、電源供給リレー１２における一端側の端子（ｃ端子）が接続され、電源供給リレー１２における他端側の端子（ｄ端子）は、室外整流部９に接続される。Ｔ端子２９は、室外整流部９に接続される。
【００２５】
なお、図１では、電源供給リレー１２の一端側の端子（ａ端子およびｃ端子）は、Ｒ端子２７とＳ端子２８とにそれぞれ接続されているが、Ｒ端子２７、Ｓ端子２８およびＴ端子２９のうちの何れかの２端子と接続されていればよい。また、第１の突入電流防止リレー１０と第２の突入電流防止リレー１３との並列回路に突入電流防止抵抗１１を直列に接続した回路部における一端および他端は、図１ではそれぞれａ端子およびｂ端子に接続されているが、それぞれがｃ端子およびｄ端子に接続されていてもよい。すなわち、当該回路部における一端および他端が、電源供給リレー１２における何れか１接点の入出力と接続されていればよい。
【００２６】
室外整流部９は、３相交流電源３の交流電圧を整流し、任意の直流電圧に変換する。電源供給リレー１２および第２の突入電流防止リレー１３は、室外制御部１６の制御によって動作し、動作しないときは、図１に示すように接点を開放している。
【００２７】
室外動作切替部１７は、第１の突入電流防止リレー１０の両端に接続されると共に、室外制御部１６にも接続されている。室外動作切替部１７は、運転待機時の待機電力を低減するか否かを判断する。図示の例は、待機電力を低減するか否かをジャンパー線で設定する例である。室外動作切替部１７において、ａ１端子とａ２端子との間にジャンパー線が接続されていれば、運転待機時の待機電力を低減する。一方、ｂ１端子とｂ２端子との間にジャンパー線が接続されていれば、これらｂ１端子，ｂ２端子によって、第１の突入電流防止リレー１０をバイパスする電流経路が形成されるので、運転待機時の待機電力を低減しない。運転待機時の待機電力を低減するか否かの情報は、室外動作切替部１７から室外制御部１６に伝達される。
【００２８】
平滑コンデンサ１４の両端は、室外整流部９に接続されている。平滑コンデンサ１４は、室外整流部９からの出力を平滑化し、接続されているインバータ回路部１５および室外制御部１６に直流電圧を印加する。
【００２９】
室外機１は、さらに電源供給切替リレー２０、通信回路電源部１８、突入電流防止リレー駆動部２１および室外通信回路部１９を備えている。電源供給切替リレー２０は、ａ端子、ｂ端子およびｃ端子を有している。ａ端子は通信回路電源部１８に接続され、ｂ端子は突入電流防止リレー駆動部２１に接続され、ｃ端子は室外Ｓ２端子３１に接続されている。電源供給切替リレー２０の一方の接点であるｃ端子は常に室外Ｓ２端子３１に接続され、他方の接点はａ端子およびｂ端子のうちの何れかに接続される。電源供給切替リレー２０により、室外Ｓ２端子３１を突入電流防止リレー駆動部２１に接続するか、室外Ｓ２端子３１を通信回路電源部１８に接続するかを切り替えることができる。
【００３０】
電源供給切替リレー２０は、室外制御部１６の制御によって動作する。電源供給切替リレー２０が動作しないとき、接点はｂ端子とｃ端子とが接続され、電源供給切替リレー２０を介して、室外Ｓ２端子３１が突入電流防止リレー駆動部２１と接続される。この接続により、室内機２によって電源信号共通線２５と信号線２６との間に単相交流が通電されたとき、突入電流防止リレー駆動部２１が通電され、第１の突入電流防止リレー１０が接点を閉じる。
【００３１】
電源供給切替リレー２０が動作するとき、接点はａ端子とｃ端子とが接続され、電源供給切替リレー２０を介して、室外Ｓ２端子３１が通信回路電源部１８と接続される。通信回路電源部１８は、電源線２４と電源信号共通線２５との間の単相交流電圧が印加されて直流電圧を生成し、室外通信回路部１９に電源を供給する。直流電圧の生成は、半波整流回路により実現できるが、これに限るものではない。
【００３２】
インバータ回路部１５は、室外制御部１６によって制御され、供給された直流電圧を任意周波数、任意電圧の交流電圧に変換する。インバータ回路部１５には図示を省略した負荷が接続される。空気調和機の場合、インバータ回路部１５にはモータが接続され、圧縮機を駆動する。
【００３３】
＜運転待機時の動作＞
つぎに、空気調和機の運転待機時の動作について図１を参照して説明する。まず、Ｒ端子２７、Ｓ端子２８およびＴ端子２９を介して、室外機１に３相交流電源３の電力が投入される。ここで、運転待機時においては、第１の突入電流防止リレー１０、第２の突入電流防止リレー１３および電源供給リレー１２の接点が開いているため、室外機負荷であるインバータ回路部１５、室外動作切替部１７および室外制御部１６へは、電力は供給されない。
【００３４】
通信回路電源部１８は、一端が室外Ｓ１端子３０を介して電源線２４に接続されているが、もう一端が電源供給切替リレー２０により室外Ｓ２端子３１との接続が切れており、電力が供給されない。そのため、室外通信回路部１９へも同様に電力が供給されない。突入電流防止リレー駆動部２１は、一端が室外Ｓ２端子３１を介して電源信号共通線２５に接続されているが、もう一端は室外Ｓ３端子３２を介して信号線２６に接続されているので、電力が供給されない。
【００３５】
以上の動作態様により、運転待機時においては、室外機１での運転待機電力は低減されている。
【００３６】
＜運転動作に入るまでの動作＞
つぎに、空気調和機が運転動作に入るまでの動作を説明する。室内機２において、電源線２４と電源信号共通線２５を介して、３相交流電源３からの電力が投入されると、室内制御部４に電源が供給され、室内機２は起動する。起動後、室内動作切替部７の設定が確認される。図示の例では、ｃ１端子とｃ２端子にジャンパー線が接続されているので、運転待機時の待機電力を低減する空気調和機と認識される。室内制御部４は、受信部３６を介してリモコン３７からの運転指令を待ち受ける状態に移行する。
【００３７】
室内制御部４がリモコン３７からの運転指令信号を受けると、室内制御部４は、室外起動リレー８をＯＮ動作させ、室内Ｓ３端子３５と室内通信回路部６との接続を切り離し、室内Ｓ３端子３５と室内Ｓ１端子３３との接続に切り替える。この制御によって、室外Ｓ２端子３１と室外Ｓ３端子３２との間に単相交流電圧が印加される。
【００３８】
室外Ｓ２端子３１と室外Ｓ３端子３２との間に電力が供給されると、電源供給切替リレー２０を介して突入電流防止リレー駆動部２１が通電され、第１の突入電流防止リレー１０がＯＮ動作し、接点を閉じる。第１の突入電流防止リレー１０が閉じることで、３相交流電源３からの交流電圧が室外整流部９で直流電圧に変換され、変換された直流電圧が平滑コンデンサ１４とインバータ回路部１５に印加される。
【００３９】
ここで、第１の突入電流防止リレー１０を通る電源供給経路では、突入電流防止抵抗１１が入っているので、短絡を防ぐことができる。直流電圧の印加によって、室外制御部１６が起動する。室外制御部１６は、起動後に第２の突入電流防止リレー１３をＯＮ動作し、接点を閉じる。室外制御部１６は、平滑コンデンサ１４に充電された電圧を監視し、設定電圧で安定したことを確認した後、電源供給リレー１２をＯＮ動作させて、電源供給リレー１２の接点を閉じ、その後、第２の突入電流防止リレー１３をＯＦＦ動作させ、第２の突入電流防止リレー１３の接点を開放する。
【００４０】
室内制御部４は、室外起動リレー８をＯＮ動作させてから任意の設定時間を経過した後に、室外起動リレー８をＯＦＦ動作させ、室内Ｓ３端子３５と室内Ｓ１端子３３との接続を切り離し、室内Ｓ３端子３５と室内通信回路部６との接続に切り替える。この制御によって、室外Ｓ２端子３１と室外Ｓ３端子３２との間に印加されていた単相交流電圧は遮断され、突入電流防止リレー駆動部２１は非通電となるため、第１の突入電流防止リレー１０はＯＦＦ動作し、接点を開放する。この動作によって、室外機起動動作における短絡を防ぐことができる。
【００４１】
突入電流防止リレー駆動部２１が非通電になると、室外制御部１６は、電源供給切替リレー２０をＯＮ動作させて、室外Ｓ２端子３１と突入電流防止リレー駆動部２１との接続を開放し、室外Ｓ２端子３１と通信回路電源部１８との接続に繋ぎかえる。この制御により、室外Ｓ１端子２９と室外Ｓ２端子３０との間の単相交流電圧が通信回路電源部１８に印加される。通信回路電源部１８は、単相交流電圧を任意の直流電圧に変換して室外通信回路部１９に印加する。
【００４２】
なお、上記の説明では、室内制御部４による室外起動リレー８のＯＦＦ動作の後に、第１の突入電流防止リレー１０がＯＦＦ動作する手順であったが、この順番を逆に入れ替え、先に電源供給切替リレー２０をＯＮ動作させてもよい。電源供給切替えリレー２０をＯＮ動作させた場合、突入電流防止リレー駆動部２１が非通電になり、第１の突入電流防止リレー１０がＯＦＦ動作となるので、順番を入れ替えても室外機１の起動は可能となる。
【００４３】
室外制御部１６は、室外通信回路部１９を動作させて室内機２との通信を開始する。室外通信回路部１９は、電源信号共通線２５と信号線２６を介して、室内通信回路部６との通信を開始する。室外制御部１６は、室外通信回路部１９と室内通信回路部６との通信が確立できたか否かを判定する。通信が確立できたときには、室内機２と室外機１の定常通信を行う。室外制御部１６は、室内機２からの運転指令を受けて、暖房運転または冷房運転の動作に入る。通信が確立できなかったときには、再度通信を開始し、通信の確立を試みる。通信の確立の判定を規定回数もしくは規定時間内まで繰り返す。通信が確立できない場合は、通信異常を判断し、通信が確立できれば、室内機２と室外機１との定常通信に移行する。
【００４４】
＜瞬時停電時の動作＞
つぎに、室外機に通電中に外部からの３相交流電源３からの供給が瞬時停電等で短時間途絶えたとき（以下包括的に「瞬時停電」と称する）の動作について、図１および図２の図面を参照して説明する。図２は、実施の形態１の空気調和機における瞬時停電時の動作を説明するための説明図である。図２において、左側には電源供給リレー１２のシーケンス動作を、右側には第２の突入電流防止リレー１３のシーケンス動作を、母線電圧との関係で示している。なお、ここでいう「母線電圧」とは、室外整流部９とインバータ回路部１５とを繋ぐ接続線（「直流母線」とも称される）の電圧であり、図１の例では平滑コンデンサ１４の電圧に一致する。なお、以下の説明では、「平滑コンデンサ１４の電圧」を「母線電圧」と称して説明する。
【００４５】
母線電圧は、前述の通り、室外制御部１６で監視している。電源供給が途絶えると、回路には何らかの負荷が接続されているため、母線電圧が低下する。負荷が大きいほど母線電圧の低下速度は速い。室外機の通電中には、電源供給リレー１２の接点が閉じているので、電源供給が直ちに復帰すれば、母線電圧は、瞬時に電源電圧を平滑した電圧まで上昇して復帰する。一方、電源供給が復帰しないときは、母線電圧は低下を続ける。
【００４６】
そこで、実施の形態１では、図２にも示すように、母線電圧が第１の電圧閾値（Ｖｔｈ１）よりも低下したときに、電源供給リレー１２をＯＦＦ動作させて、電源供給リレー１２の接点を開放し、続いて第２の突入電流防止リレー１３をＯＮ動作させて、第２の突入電流防止リレー１３の接点を閉じる。なお、シーケンス動作であるため、第２の突入電流防止リレー１３の接点が閉じられるときの母線電圧は、第１の電圧閾値Ｖｔｈ１よりもさらに低下した電圧（Ｖｔｈ１’：Ｖｔｈ１’＜Ｖｔｈ１）となることもある。
【００４７】
母線電圧が第１の電圧閾値（Ｖｔｈ１）を下回り、さらに低下し続けても、室外制御部１６が動作できる電圧である限り、室外制御部１６は、第２の突入電流防止リレー１３をＯＮ動作し続ける。室外制御部１６が動作可能な電圧で電源が復帰すると、第２の突入電流防止リレー１３および突入電流防止抵抗１１を通る経路で平滑コンデンサ１４の電圧が回復できる。また、突入電流防止抵抗１１を介するため、突入電流値を制限でき、過大な突入電流によって、後段の回路、例えば室外整流部９の故障を防ぐことができる。
【００４８】
母線電圧が回復して電源電圧を平滑した電圧（以下「安定電圧」と称し、「ＶＤＤ」と表記）に復帰すると、室外制御部１６は、当該安定電圧（ＶＤＤ）で安定したことを確認した後、電源供給リレー１２をＯＮ動作させて、電源供給リレー１２の接点を閉じ、続いて第２の突入電流防止リレー１３をＯＦＦ動作させて、第２の突入電流防止リレー１３の接点を開放する。３相交流電源３からの電源供給が続いている限り、平滑コンデンサ１４への充電電流は電源供給リレー１２経由で平滑コンデンサ１４に供給され、第２の突入電流防止リレー１３を経由することはない。以上の制御動作により、空気調和機における不要電力の削減が可能となる。
【００４９】
なお、３相交流電源３からの電源供給が途絶え、母線電圧が室外制御部１６が動作できない電圧まで低下した場合には、室外制御部１６による第２の突入電流防止リレー１３のＯＮ動作はできなくなり、第２の突入電流防止リレー１３の接点は開放されてしまうので、電源供給が復帰しても室外機が自力では起動できない。このときは、通常通り、室内機２によって室外Ｓ２端子３１と室外Ｓ３端子３２との間に単相交流電圧を印加することで、室外機１を起動させる手順となる。
【００５０】
以上説明したように、実施の形態１に係る空気調和機によれば、第１の突入電流防止リレー１０と並列に接続され、室外制御部１６により制御される第２の突入電流防止リレー１３を設け、外部からの電源供給が遮断されたときに第２の突入電流防止リレー１３を閉じることとしたので、自己復帰できる可能性を高め、動作再開の時間を短縮し、利用者の利便性を向上させることが可能となる。
【００５１】
また、実施の形態１に係る空気調和機によれば、室外機１が自ら制御できる第２の突入電流防止リレー１３を備えることで、外部からの電源供給が瞬時停電で途絶えたとしても、自ら復電に備えることができるため、復電からの復帰を室内機２から起動してもらう必要がなく、復帰までの時間が早いという効果を有する。復帰までの時間が短いということは、利用者の快適性を損なうことも少なくて済むという効果につながる。
【００５２】
また、実施の形態１に係る空気調和機においては、突入電流値を制限できる効果を併せ持つので、後段の回路が過大な突入電流によって故障しない大きな耐力を持つ素子を選定しなくてもよいという効果を有する。
【００５３】
なお、第２の突入電流防止リレー１３の制御に関しては、以下に示す変形例１のように制御を変更してもよい。
【００５４】
＜制御の変形例−変形例１＞
上述した実施の形態１では、母線電圧が第１の電圧閾値（Ｖｔｈ１）よりも低下したときには、電源供給リレー１２の接点を開放した上で、第２の突入電流防止リレー１３の接点を閉じ、また、母線電圧が回復して安定電圧に復帰した場合には、電源供給リレー１２の接点を閉じた上で、第２の突入電流防止リレー１３の接点を開放するようにしているが、室外制御部１６が動作できる限りにおいて、第２の突入電流防止リレー１３の接点を閉路に制御し続けてもよい。このような制御とすれば、第２の突入電流防止リレー１３に対するＯＦＦ制御は不要となり、制御がより簡潔になるという利点がある。
【００５５】
また、実施の形態１では３相交流電源３による３相給電の場合を例示したが、単相電源による単相給電でもよい。この場合、電源供給リレー１２が２相のうちの１相の電気的接続を切断する構成とすればよく、単相電源でも同様の効果が得られる。
【００５６】
実施の形態２．
実施の形態１に係る空気調和機は、運転待機時における室外機１の待機電力を低減する構成であり、具体的には、外部からの電源供給が瞬時停電で途絶え、母線電圧である平滑コンデンサ１４の電圧が低下したときに室外機１が自己復帰するための第２の突入電流防止リレー１３を備える構成であった。これに対し、実施の形態２に係る空気調和機は、同じ構成にて、瞬時停電時における第２の突入電流防止リレー１３と、電源供給リレー１２の動作を変更したものである。
【００５７】
つぎに、実施の形態２に係る空気調和機の動作について図１および図３の図面を参照して説明する。図３は、実施の形態２の空気調和機における瞬時停電時の動作を説明するための説明図であり、室外機への通電中に３相交流電源３からの電源供給が瞬時停電で短時間途絶えたときの動作を説明する図である。
【００５８】
図３において、瞬時停電により母線電圧が低下したとき、復電しないと母線電圧は下がり続ける。ここで、実施の形態２では、図３に示すように、第１の電圧閾値（Ｖｔｈ１）よりも電圧値の高い第２の電圧閾値（Ｖｔｈ２）が設定されている。このため、母線電圧が低下すると、第２の電圧閾値（Ｖｔｈ２）による判定処理が先に行われ、室外制御部１６は第２の突入電流防止リレー１３をＯＮ動作させ、第２の突入電流防止リレー１３の接点を閉じる。
【００５９】
その後も電圧低下が続くと、母線電圧はさらに低下し、第１の電圧閾値（Ｖｔｈ１）による判定処理が行われる。母線電圧が第１の電圧閾値（Ｖｔｈ１）よりも小さくなると、室外制御部１６は電源供給リレー１２をＯＦＦ動作させ、電源供給リレー１２の接点を開放する。ここで、第１の電圧閾値（Ｖｔｈ１）は、この第１の電圧閾値（Ｖｔｈ１）以下で突入電流が流れると、後段の回路が故障する可能性がある値に設定されている。換言すれば、この第１の電圧閾値（Ｖｔｈ１）以下において、電源供給リレー１２の接点を開放しておけば、後段の回路が故障する可能性は極めて低いことを意味している。
【００６０】
復電時の母線電圧が図２に示した動作電圧（Ｖｔｈ１’）よりも高く、第１の電圧閾値（Ｖｔｈ１）よりも低い場合には、第２の突入電流防止リレー１３の接点が閉じられているため（図２の場合、この電圧範囲では第２の突入電流防止リレー１３の接点は閉じられていない）、復電時の復帰がより早くなるという効果が得られる。なお、復電後に母線電圧が回復し、安定電圧（ＶＤＤ）に復帰した後の電源供給リレー１２および第２の突入電流防止リレー１３の動作は実施の形態１と同様である。
【００６１】
また、復電時の母線電圧が第１の電圧閾値（Ｖｔｈ１）よりも高く、第２の電圧閾値（Ｖｔｈ２）よりも低い場合、閉じられたままの電源供給リレー１２を介する経路が存在するので、電源供給リレー１２を介した復電時の電流が平滑コンデンサ１４を充電する。なお、図２に示した動作電圧（Ｖｔｈ１’）よりも低い母線電圧で復電した場合は、実施の形態１と同様な動作となる。
【００６２】
以上のように、実施の形態２に係る空気調和機によれば、母線電圧が低下したときに、復電に備え、第２の突入電流防止リレー１３を閉じるための判定閾値である第２の電圧閾値を、電源供給リレー１２を開放するための判定閾値である第１の電圧閾値よりも高くすることで、復電時の復帰が早くなるという効果が得られる。
【００６３】
なお、実施の形態１では３相交流電源３による３相給電の場合を例示したが、単相電源による単相給電でもよい。この場合、電源供給リレー１２が２相のうちの１相の電気的接続を切断する構成とすればよく、単相電源でも同様の効果が得られる。
【００６４】
実施の形態３．
実施の形態１，２に係る空気調和機は、母線電圧を監視し、母線電圧が電圧閾値を下回ったときに電源供給リレー１２および第２の突入電流防止リレー１３を動作させる制御を行っていた。これに対し、実施の形態３に係る空気調和機では、電源周波数を監視し、電源周波数が検出できないときには、電源供給が途絶えたと判定して、同様なリレー動作を行うものである。
【００６５】
図４は、実施の形態３に係る空気調和機の室外機における室外制御部の一構成例を示す図である。実施の形態３に係る室外制御部１６は、図４に示すように、電源周波数を検出するための電源周波数検出部１６ａを備えている。電源周波数検出部１６ａには、電源電圧が入力される。電源周波数検出部１６ａは、電源電圧の波形から、電源周波数を検出する。電源供給があれば５０Ｈｚもしくは６０Ｈｚを検出することができ、電源供給がなければ、検出できずに０Ｈｚとなる。電源周波数検出部１６ａは、電源周波数の検出結果に応じた制御信号を、電源供給リレー１２および第２の突入電流防止リレー１３に対して出力する。
【００６６】
電源周波数検出部１６ａは、電源周波数が検出できない場合、電源供給リレー１２をＯＦＦ動作させて、電源供給リレー１２の接点を開放し、続いて、第２の突入電流防止リレー１３をＯＮ動作させ、第２の突入電流防止リレー１３の接点を閉じる。
【００６７】
インバータ回路部１５が動作しているときのように回路負荷が大きい場合には、平滑コンデンサ１４の電圧が低下するのが早く、電圧閾値によるリレー制御の方が、電源周波数が検出できないことよりも早く動作する。一方、インバータ回路部１５が動作していないときのような回路負荷が小さい場合には、平滑コンデンサ１４の電圧が低下するのが遅いため、電圧閾値によるリレー制御よりも電源周波数の有無を検出する方が制御が早い場合がある。
【００６８】
このような場合には、第１の電圧閾値（Ｖｔｈ１）よりも高い電圧で電源供給リレー１２を開放することができ、また、動作電圧（Ｖｔｈ１’）および第２の電圧閾値（Ｖｔｈ２）よりも高い電圧で第２の突入電流防止リレー１３を閉じることができる。第１の電圧閾値（Ｖｔｈ１）は、第１の電圧閾値以下の電圧で接点を閉じたときに電源供給リレー１２を経由して流れる突入電流が許容できない電圧レベルに設定されている。復電に備え、第１の電圧閾値（Ｖｔｈ１）よりも高い電圧でリレー制御を行うことができるので、不要な突入電流が電源供給リレー１２を流れることなく、後段の回路、例えば室外整流部９の保護がさらに強化できるという効果が得られる。なお、単相電源による単相給電でもよいことは実施の形態１，２と同様である。
【００６９】
以上のように、実施の形態３に係る空気調和機によれば、電源周波数が検出できなくなったときに、電源供給リレー１２を開放すると共に、第２の突入電流防止リレー１３を閉じることとしたので、不要な突入電流が電源供給リレー１２を流れることなく、後段の回路、例えば室外整流部９の保護がさらに強化できるという効果が得られる。
【００７０】
なお、第２の突入電流防止リレー１３の制御に関しては、以下に示す変形例２のように制御を変更してもよい。
【００７１】
＜制御の変形例−変形例２＞
上述した実施の形態３では、電源周波数が検出できなくなったときに、電源供給リレー１２を開放すると共に、第２の突入電流防止リレー１３を閉じるようにしているが、室外制御部１６が動作できる限りにおいて、第２の突入電流防止リレー１３の接点を閉じた状態に制御し続けてもよい。このような制御とすれば、第２の突入電流防止リレー１３に対するＯＦＦ制御は不要となり、制御がより簡潔になるという利点がある。
【００７２】
さらに、第２の突入電流防止リレー１３の制御に関しては、実施の形態１−３を通して、以下に示す変形例３のように制御を変更してもよい。
【００７３】
＜制御の変形例−変形例３＞
上述した実施の形態１−３および変形例１，２では、室外機１の起動後に第２の突入電流防止リレー１３の接点を閉じ、平滑コンデンサ１４の充電電圧が安定した場合には第２の突入電流防止リレー１３の接点を開放するようにしているが、平滑コンデンサ１４の充電電圧が安定しているか否かに関わらず、第２の突入電流防止リレー１３の接点を閉路に制御し続けてもよい。このような制御とすれば、起動後においては、第２の突入電流防止リレー１３に対するＯＦＦ制御は不要となり、制御がさらに簡潔になるという利点がある。
【００７４】
また、以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００７５】
１  室外機、２  室内機、３  ３相交流電源、４  室内制御部、５  室内整流部、６  室内通信回路部、７  室内動作切替部、８  室外起動リレー、９  室外整流部、１０  第１の突入電流防止リレー、１１  突入電流防止抵抗、１２  電源供給リレー、１３  第２の突入電流防止リレー、１４  平滑コンデンサ、１５  インバータ回路部、１６  室外制御部、１７  室外動作切替部、１８  通信回路電源部、１９  室外通信回路部、２０  電源供給切替リレー、２１  突入電流防止リレー駆動部、２２  室内端子台、２３  室外端子台、２４  電源線、２５  電源信号共通線、２６  信号線、２７  Ｒ端子、２８  Ｓ端子、２９  Ｔ端子、３０  室外Ｓ１端子、３１  室外Ｓ２端子、３２  室外Ｓ３端子、３３  室内Ｓ１端子、３４  室内Ｓ２端子、３５  室内Ｓ３端子、３６  受信部、３７  リモコン。
【図１】
2016090183.tif 000003
【図２】
2016090183.tif 000004
【図３】
2016090183.tif 000005
【図４】
2016090183.tif 000006